(57)【要約】      （修正有）【課題】水素と水を混合して水素水を形成する水素水噴射装置を提供する。【解決手段】ガス貯蔵モジュール１０と、噴射モジュール１１と、混合モジュール１２とを備え、ガス貯蔵モジュール１０は、少なくとも１つの気体１００を格納し、噴射モジュール１１は、複数の吸入ポート１１０および排出ポート１１１を備え、複数の吸入ポート１１０の一つは、ガス貯蔵モジュール１０に接続され、複数の吸入ポート１１０のもう１つは、液体供給端２に接続される。混合モジュール１２の一端は排出ポート１１１に接続され、他端は噴射口１２０を備える。ガス貯蔵モジュール１０が気体１００を噴射モジュール１１に供給し、且つ噴射モジュール１１が液体供給端２から供給された液体を受ける場合に、噴射モジュール１１が気体１００および液体を混合して、混合モジュール１２が気体１００および液体を混合して水素水１２１を生成し、且つ噴射口１２０を介して水素水１２１を混合モジュール１２の外部に排出する。【選択図】図１
0003215483.tif 000002
【実用新案登録請求の範囲】
【請求項１】
ガス貯蔵モジュールと、噴射モジュールと、混合モジュールとを備える水素水噴射装置であって、
前記ガス貯蔵モジュールは、少なくとも１つの気体を格納し、
前記噴射モジュールは、複数の吸入ポートおよび排出ポートを備え、前記複数の吸入ポートの一つは、前記ガス貯蔵モジュールに接続され、前記複数の吸入ポートのもう１つは、液体供給端に接続され、
前記混合モジュールの一端は前記排出ポートに接続され、他端は噴射口を備え、
前記ガス貯蔵モジュールが前記少なくとも１つの気体を前記噴射モジュールに供給し、且つ前記噴射モジュールが前記液体供給端から供給された液体を受ける場合に、前記噴射モジュールが前記少なくとも１つの気体および前記液体を混合して前記混合モジュールに提供し、
前記混合モジュールが前記少なくとも１つの気体および前記液体を混合して水素水を生成し、且つ前記噴射口を介して前記水素水を前記混合モジュールの外部に排出することを特徴とする、水素水噴射装置。
【請求項２】
前記水素水噴射装置は、シャワーヘッドモジュールをさらに備え、前記シャワーヘッドモジュールの一端は前記噴射口に接続され、他端はノズルを備え、前記混合モジュールが前記噴射口を介して前記水素水を前記シャワーヘッドモジュールに輸送する場合に、前記シャワーヘッドモジュールは前記ノズルを介して前記水素水を排出することを特徴とする、請求項１に記載の水素水噴射装置。
【請求項３】
前記水素水噴射装置は、スケーリングモジュールをさらに備え、前記スケーリングモジュールの一端は前記噴射口に接続され、他端は供液口を備え、前記混合モジュールが前記噴射口を介して前記水素水を前記スケーリングモジュールに輸送する場合に、前記スケーリングモジュールは前記供液口を介して前記水素水を排出することを特徴とする、請求項１に記載の水素水噴射装置。
【請求項４】
前記水素水噴射装置は、ディフューザーモジュールをさらに備え、前記ディフューザーモジュールの一端は前記噴射口に接続され、他端はデフュージング口を備え、前記混合モジュールが前記噴射口を介して前記水素水を前記ディフューザーモジュールに輸送する場合に、前記ディフューザーモジュールは前記デフュージング口を介して前記水素水を排出することを特徴とする、請求項１に記載の水素水噴射装置。
【請求項５】
前記水素水噴射装置は、装置本体をさらに備え、前記装置本体は、前記ガス貯蔵モジュールおよび前記噴射モジュールを収容するハウジングであることを特徴とする、請求項１に記載の水素水噴射装置。
【請求項６】
前記混合モジュールの前記排出ポートに接続する前記一端は、前記装置本体を貫通することを特徴とする、請求項５に記載の水素水噴射装置。
【請求項７】
前記少なくとも１つの気体は、水素であることを特徴とする、請求項１に記載の水素水噴射装置。
【請求項８】
前記噴射モジュールは、噴射器であることを特徴とする、請求項１に記載の水素水噴射装置。
【請求項９】
前記水素水噴射装置の前記複数の吸入ポートの一つは、取付可能に外部装置の出水チューブに接続され、前記水素水噴射装置の前記噴射口は、取付可能に外部装置の循環動力モジュールに接続され、前記水素水噴射装置が前記噴射口を介して前記水素水を前記循環動力モジュールに供給し、前記循環動力モジュールが前記水素水を前記外部装置の内部に供給し、且つ前記水素水噴射装置は、前記複数の吸入ポートの一つを介して前記出水チューブから供給された液体を収容することを特徴とする、請求項１に記載の水素水噴射装置。
【考案の詳細な説明】
【技術分野】
【０００１】
本考案は、一種の噴射装置に係わり、特に水素と水を混合して水素水を形成する水素水噴射装置に関する。
【背景技術】
【０００２】
現代人はプレッシャー、緊張などのストレス、食品や調味料に含まれる化学物質、または喫煙、飲酒などの原因により、人体の代謝不良でフリーラジカルが大量に発生する。フリーラジカルは、不対電子を持つ原子、分子またはイオンである。フリーラジカルは、化学的に不安定であり、他の物質の電子を奪う特性を持っているので、人体にフリーラジカルが多く存在する場合に、細胞がフリーラジカルにより損傷するため、人体の老化および体質変化を促し、病気にもかかりやすくなる。
【０００３】
健康意識が高まる現在では、水素を含有する水素水が注目されている。水素水が体に取り込まれると、その還元力によって体内の活性酸素を中和するため、抗老化の効果を持つことが認められる。水素水は飲用水として飲むだけでなく、洗面または入浴、若しくは化粧品を介して皮膚から吸収することもできる。
【考案の概要】
【考案が解決しようとする課題】
【０００４】
しかし、市販の水素水生成器は、電解反応を介して水中に水素を生成して水素水を製造してから、飲用水として吸収されるが、その機能が制限されてしまうので、改善する余地がある。
【０００５】
従って、本考案の考案者が、従来技術の欠点を改善すべく、産業的な利用性を増進するために、一種の水素水噴射装置装置を考案した。
【０００６】
従来技術の問題を鑑みて、本考案の目的は一種の水素水噴射装置を提供し、従来技術の不足を改善する。
【課題を解決するための手段】
【０００７】
本考案の目的により、ガス貯蔵モジュールと、噴射モジュールと、混合モジュールとを備える水素水噴射装置を提出する。ガス貯蔵モジュールは、少なくとも１つの気体を格納する。噴射モジュールは、複数の吸入ポートおよび排出ポートを備え、複数の吸入ポートの一つは、ガス貯蔵モジュールに接続され、複数の吸入ポートのもう１つは、液体供給端に接続される。混合モジュールの一端は排出ポートに接続され、他端は噴射口を備える。ガス貯蔵モジュールが少なくとも１つの気体を噴射モジュールに供給し、且つ噴射モジュールが液体供給端から供給された液体を受ける場合に、噴射モジュールが少なくとも１つの気体および液体を混合して混合モジュールに提供し、そして混合モジュールが少なくとも１つの気体および液体を混合して水素水を生成し、且つ噴射口を介して水素水を混合モジュールの外部に排出する。
【０００８】
より好ましくは、水素水噴射装置は、シャワーヘッドモジュールをさらに備え、シャワーヘッドモジュールの一端は噴射口に接続され、他端はノズルを備え、混合モジュールが噴射口を介して水素水をシャワーヘッドモジュールに輸送する場合に、シャワーヘッドモジュールはノズルを介して水素水を排出する。
【０００９】
より好ましくは、水素水噴射装置は、スケーリングモジュールをさらに備え、スケーリングモジュールの一端は噴射口に接続され、他端は供液口を備え、混合モジュールが噴射口を介して水素水をスケーリングモジュールに輸送する場合に、スケーリングモジュールは供液口を介して水素水を排出する。
【００１０】
より好ましくは、水素水噴射装置は、ディフューザーモジュールをさらに備え、ディフューザーモジュールの一端は噴射口に接続され、他端はデフュージング口を備え、混合モジュールが噴射口を介して水素水をディフューザーモジュールに輸送する場合に、ディフューザーモジュールはデフュージング口を介して水素水を排出する。
【００１１】
より好ましくは、水素水噴射装置は、装置本体をさらに備え、装置本体は、ガス貯蔵モジュールおよび噴射モジュールを収容することができるハウジングである。
【００１２】
より好ましくは、混合モジュールの排出ポートに接続する一端は、装置本体を貫通する。
【００１３】
より好ましくは、少なくとも１つの気体は水素であっても良い。
【００１４】
より好ましくは、噴射モジュールは噴射器であっても良い。
【００１５】
より好ましくは、水素水噴射装置の複数の吸入ポートの一つは、取付可能に外部装置の出水チューブに接続され、水素水噴射装置の噴射口は、取付可能に外部装置の循環動力モジュールに接続され、水素水噴射装置が噴射口を介して水素水を循環動力モジュールに供給し、循環動力モジュールが水素水を外部装置の内部に供給し、且つ水素水噴射装置は、複数の吸入ポートの一つを介して出水チューブから供給された液体を収容する。
【００１６】
よって、本考案の水素水噴射装置は、以下の利点を備える。
【００１７】
（１）この水素水噴射装置は噴射モジュールを介して、水素および水二つの流体を混合し、混合モジュールに導入して両者を充分に混合して水素水を生成することによって、水素水を容易に製造することができる。
【００１８】
（２）この水素水噴射装置は、混合モジュールを介して洗浄道具と結合し、使用者に水素水を接触して吸収する様々な形式を提供することができる。
【図面の簡単な説明】
【００１９】
【図１】本考案の水素水噴射装置の第一実施例の概略図である。
【図２】本考案の水素水噴射装置の第二実施例の第一概略図である。
【図３】本考案の水素水噴射装置の第二実施例の第二概略図である。
【図４】本考案の水素水噴射装置の第三実施例の概略図である。
【図５】本考案の水素水噴射装置の第四実施例の概略図である。
【図６】本考案の水素水噴射装置の第五実施例の概略図である。
【考案を実施するための形態】
【００２０】
本考案をより完全に理解するために、本考案の技術特徴、内容と長所及びそれが達成できる作用効果について、添付図面を参照して、実施例の表現形式で以下のように詳細に説明する。但し、図示された図面は、単に例示または明細書内容を補助することを目的としたものであって、本考案の実施後の原寸に比例したものや精確に配置したものには何ら拘束されない。
【実施例】
【００２１】
以下は添付図面により、本考案の水素水噴射装置を説明する。また、本考案をより理解しやすくするために、以下の実施例において同じ要素は同じ符号で表示する。
【００２２】
図１を参照し、図１は、本考案の水素水噴射装置の第一実施例の概略図である。図面に示されるように、水素水噴射装置１は、ガス貯蔵モジュール１０と、噴射モジュール１１と、混合モジュール１２とを備える。ガス貯蔵モジュール１０は、少なくとも１つの気体１００を格納する。噴射モジュール１１は、複数の吸入ポート１１０および排出ポート１１１を備え、吸入ポート１１０の一つはガス貯蔵モジュール１０に接続され、吸入ポート１１０のもう１つは液体供給端２に接続される。混合モジュール１２の一端は排出ポート１１１に接続され、他端は噴射口１２０を備える。そのうち、ガス貯蔵モジュール１０が少なくとも１つの気体１００を噴射モジュール１１に供給し、且つ噴射モジュール１１が液体供給端２から供給された液体２０を受ける場合に、噴射モジュール１１が少なくとも１つの気体１００および液体２０を混合して混合モジュール１２に提供し、混合モジュール１２が少なくとも１つの気体１００および液体２０を混合して水素水１２１を生成し、且つ噴射口１２０を介して水素水１２１を混合モジュール１２の外部に排出する。
【００２３】
具体的に言うと、本考案の水素水噴射装置１は、ガス貯蔵モジュール１０と、噴射モジュール１１と、混合モジュール１２とを備える。ガス貯蔵モジュール１０は低圧水素ガス容器であっても良い。ガス貯蔵モジュール１０は、少なくとも１つの気体１００を格納し、例えば、０．１〜２０バール（ｂａｒ）の低圧水素、または他の単一気体若しくは混合気体であっても良い。噴射モジュール１１は噴射器であっても良い。混合モジュール１２はチューブ状の混合器具であっても良い。よって、本考案の水素水噴射装置１が作動する場合に、使用者がスイッチを介して、ガス貯蔵モジュール１０内の気体１００を吸入ポート１１０の一つを経由して噴射モジュール１１に導入し、そして蛇口または任意の液体供給端２を開放して、液体２０（例えば、水または任意の液体）を吸入ポート１１０を経由して噴射モジュール１１に導入する。
【００２４】
したがって、噴射モジュール１１は気体１００および液体２０を混合して排出ポート１１１を経由して混合モジュール１２に輸送する。そして、混合モジュール１２は内部にある複数の波状、螺旋状または格状構造により十分に混合し、気体１００は液体２０に溶解して水素水を生成する。そのうち、混合モジュール１２は自体の動力源を持ってないが、流体自身の流動や圧力を介して気体１００および液体２０を混合する。最後に、水素水１２１は混合モジュール１２の噴射口１２０を介して外部に排出する。使用者はその水素水１２１でシャワー、入浴、洗面または歯みがきができる。
【００２５】
よって、本考案の水素水噴射装置１は、噴射モジュール１１を介して水素および水との二つの流体を混合し、そして混合モジュール１２に導入して、両者を十分に混合して水素水を生成し、水素水の生成が容易になって、日常生活においても簡単に水素水を手に入れることができる。
【００２６】
また、特筆すべきこととして、本考案の水素水噴射装置１は、医療設備（例えば、スケーリング装置）に結合し、水素水１２１をスケーリング用の水として提供することができると共に、気液混合の液体として滅菌水または純水を採用することができる。また、水素水１２１は電解または気液混合などの方式で生成することができる。
【００２７】
図２および図３を図１と共に参照し、図２は本考案の水素水噴射装置の第二実施例の第一概略図であり、図３はその第二実施例の第二概略図である。図面に示されるように、この実施例の水素水噴射装置においては、前述の第一実施例に記載された同じ部品の作動が類似するため、ここで繰り返さない。また、この実施例の水素水噴射装置１は、シャワーヘッドモジュール１３をさらに備え、シャワーヘッドモジュール１３の一端は噴射口１２０に接続され、他端はノズル１３０を備える。混合モジュール１２が噴射口１２０を介して水素水１２１をシャワーヘッドモジュール１３に輸送する場合に、シャワーヘッドモジュール１３はノズル１３０を介して水素水１２１を排出する。
【００２８】
例えば、本考案の水素水噴射装置１は、シャワーヘッドモジュール１３をさらに備えることができる。シャワーヘッドモジュール１３は普通のシャワーヘッドであっても良い。シャワーヘッドモジュール１３の一端は、取付可能に噴射口１２０に接続され、他端はノズル１３０（即ち、シャワーヘッド）を備える。よって、使用者がシャワーする時、水道から湯または冷水を噴射モジュール１１に供給し、且つガス貯蔵モジュール１０を開放して、その内部にある気体１００を噴射モジュール１１に導入することができる。
【００２９】
それから、噴射モジュール１１は液体２０および気体１００二つの流体を混合し、排出ポートを経由して混合モジュール１２に輸送する。そして、混合モジュール１２は内部にある複数の波状、螺旋状または格状構造により十分に混合し、気体１００は液体２０に溶解して水素水１２１を生成する。最後に、水素水１２１はシャワーヘッドモジュール１３のノズル１３０を介して外部に排出される。その時、使用者はその水素水１２１でシャワーすることができる。
【００３０】
されに、水素水噴射装置１は、ガス貯蔵モジュール１０および噴射モジュール１１を格納するハウジング構造である装置本体１４をさらに備えることができる。より好ましくは、混合モジュール１２の排出ポート１１１に接続する一端は、装置本体１４を貫通することができる。
【００３１】
つまり、水素水噴射装置１は装置本体１４をさらに備えることができる。装置本体１４は、ガス貯蔵モジュール１０および噴射モジュール１１を格納するハウジングであり、混合モジュール１２の一端は装置本体１４を貫通することができる。よって、装置本体１４がガス貯蔵モジュール１０および噴射モジュール１１を損傷から保護することができる。
【００３２】
図４を図１〜３と共に参照し、図４は本考案の水素水噴射装置の第三実施例の概略図である。図面に示されるように、この実施例の水素水噴射装置においては、上述の実施例に記載された同じ部品の作動が類似するため、ここで繰り返さない。また、この実施例の水素水噴射装置１は、スケーリングモジュール１５をさらに備え、スケーリングモジュール１５の一端は噴射口１２０に接続され、他端は供液口１５０を備える。混合モジュール１２が噴射口１２０を介して水素水１２１をスケーリングモジュール１５に輸送する場合に、スケーリングモジュール１５はノズル１３０を介して水素水１２１を排出する。
【００３３】
具体的に言うと、本考案の水素水噴射装置１は、スケーリングモジュール１５をさらに備えることができる。スケーリングモジュール１５は普通のスケーリング器具であっても良い。スケーリングモジュール１５の一端は、取付可能に噴射口１２０に接続され、他端は供液口１５０を備える。よって、使用者がスケーリングする時、液体供給端２を開放して液体２０を吸入ポート１１０の一つを経由して噴射モジュール１１に供給し、且つガス貯蔵モジュール１０を開放して、その内部にある気体１００を吸入ポートのもう１つを経由して噴射モジュール１１に導入することができる。
【００３４】
したがって、噴射モジュール１１は気体１００および液体２０を混合して排出ポート１１１を経由して、その混合物を混合モジュール１２に輸送する。そして、混合モジュール１２は内部にある複数の波状、螺旋状または格状構造により十分に混合し、気体１００は液体２０に溶解して水素水を生成する。最後に、スケーリングモジュール１５は供液口１５０を介して水素水１２１を外部に排出し、スケーリングに使用される。
【００３５】
また、特筆すべきこととして、本考案のスケーリングモジュール１５は、超音波パルス水圧生成部品を備える医療用スケーリング器具であっても良い。よって、操作者がこのスケーリングモジュール１５を介してパルス水圧で水素水１２１を供給し、供給された水素水１２１で患者の歯垢を除去する。
【００３６】
図５を図１〜４と共に参照し、図５は本考案の水素水噴射装置の第四実施例の概略図である。図面に示されるように、この実施例の水素水噴射装置においては、上述の実施例に記載された同じ部品の作動が類似するため、ここで繰り返さない。また、この実施例の水素水噴射装置１は、ディフューザーモジュール１６をさらに備え、ディフューザーモジュール１６の一端は噴射口１２０に接続され、他端はデフュージング口１６０を備える。混合モジュール１２が噴射口１２０を介して水素水１２１をディフューザーモジュール１６に輸送する場合に、ディフューザーモジュール１６はデフュージング口１６０を介して水素水１２１を排出する。
【００３７】
例えば、本考案の水素水噴射装置１は、デフュージング器具であるディフュージングモジュール１６であっても良い。ディフューザーモジュール１６の本体は、ベローズのようなフレキシブルチューブであっても良い。ディフューザーモジュール１６の一端は、取付可能に噴射口１２０に接続され、他端はデフュージング口１６０を備える。
【００３８】
よって、使用者が風呂に入る場合に、液体供給端２を開放して湯または冷水を噴射モジュール１１に供給し、且つガス貯蔵モジュール１０を開放して、その内部にある気体１００を噴射モジュール１１に導入することができる。したがって、噴射モジュール１１は液体２０および気体１００二つの流体を混合し、排出ポートを経由して混合モジュール１２に輸送する。そして、混合モジュール１２は内部にある複数の波状構造により十分に混合し、気体１００は液体２０に溶解して水素水１２１を生成する。
【００３９】
最後に、水素水１２１はディフューザーモジュール１６のデフュージング口１６０を介して浴槽に排出され、風呂に使用される。
【００４０】
図６を図１〜５と共に参照し、図６は本考案の水素水噴射装置の第五実施例の概略図である。図面に示されるように、この実施例の水素水噴射装置においては、上述の実施例に記載された同じ部品の作動が類似するため、ここで繰り返さない。また、この実施例の水素水噴射装置１の複数の吸入ポート１１０の一つは、取付可能に外部装置３の出水チューブ３０に接続され、水素水噴射装置１の噴射口１２０は、取付可能に外部装置３の循環動力モジュール３１に接続され、水素水噴射装置１が噴射口１２０を介して水素水１２１を循環動力モジュール３１に供給し、循環動力モジュール３１が水素水１２１を外部装置３の内部に供給し、且つ水素水噴射装置１は、複数の吸入ポート１１０の一つを経由して出水チューブ３０から供給された液体を収容する。
【００４１】
具体的に言うと、本考案の水素水噴射装置１は、足浴機または浴槽などの外部装置３に応用されることができる。この実施例においては、足浴機を例示的な実施例として説明するが、それに限定されない。水素水噴射装置１の複数の吸入ポート１１０の一つは出水チューブ３０に接続され、水素水噴射装置１の噴射口１２０は、取付可能に外部装置３の循環動力モジュール３１に接続される。外部装置３は、液体を収容する機体３２と、両端がそれぞれ機体３２の内部および循環動力モジュール３１に接続される進水チューブ３３とをさらに備え、且つ出水チューブ３０の両端は機体３２の内部および吸入ポート１１０の一つに接続される。よって、本考案の水素水噴射装置１が外部装置３と結合して応用される場合に、外部装置３は出水チューブ３０を介して、その内部にある液体を吸入ポートの一つに輸送し、水素水噴射装置１がその液体を水素水１２１に生成し、噴射口１２０を介して循環動力モジュール３１に提供する。したがって、循環動力モジュール３１は、進水チューブ３３を介して水素水１２１を機体３２の内部に供給する。よって、循環動力モジュール３１を介して液体を循環し、機体３２の内部に水素水１２１で充填することができる。したがって、使用者が外部装置３で足浴する場合に、水素水１２１は継続的に供給されることができる。
【００４２】
上記の説明は例示的なものであり、本考案の範囲を限定するためのものではない。本考案の範囲及び趣旨を逸脱することなく均等範囲内における変更及び修正は、いずれも添付の実用新案登録請求の範囲で扱うものとする。
【符号の説明】
【００４３】
１：水素水噴射装置
１０：ガス貯蔵モジュール
１００：気体
１１：噴射モジュール
１１０：吸入ポート
１１１：排出ポート
１２：混合モジュール
１２０：噴射口
１２１：水素水
１３：シャワーヘッドモジュール
１３０：ノズル
１４：装置本体
１５：スケーリングモジュール
１５０：供液口
１６：ディフューザーモジュール
１６０：デフュージング口
２：液体供給端
２０：液体
３：外部装置
３０：出水チューブ
３１：循環動力モジュール
３２：機体
３３：進水チューブ
【図１】
0003215483.tif 000003
【図２】
0003215483.tif 000004
【図３】
0003215483.tif 000005
【図４】
0003215483.tif 000006
【図５】
0003215483.tif 000007
【図６】
0003215483.tif 000008